(57)【特許請求の範囲】
【請求項１】
構築構造物の入隅部に開閉装置を後付けした開閉装置構造であって、
前記構築構造物の入隅用柱部および柱部を利用して前記構築構造物に固定された取付下地枠体と、
この取付下地枠体によって支持された前記開閉装置とを備え、
前記取付下地枠体は、細長筒状の縦枠と、この縦枠と離間対向して位置する入隅側縦枠とを有し、
この入隅側縦枠は、断面矩形の筒部と、この筒部から突出した固定板部とにて構成され、
前記入隅側縦枠の固定板部が前記入隅用柱部に外壁部を介して固定され、
前記縦枠が前記柱部に前記固定板部が当接した外壁部に対して直交状に位置する外壁部を介して固定され、
前記入隅側縦枠の筒部には前記開閉装置の一方の縦ガイドレール枠が固定され、
前記縦枠には前記開閉装置の他方の縦ガイドレール枠が固定されている
ことを特徴とする開閉装置構造。
【請求項２】
取付下地枠体は、細長筒状の上横枠と、細長筒状の下横枠とを有し、
入隅側縦枠の上端部および前記上横枠の一端部と、前記入隅側縦枠の下端部および前記下横枠の一端部と、縦枠の上端部および前記上横枠の他端部と、前記縦枠の下端部および前記下横枠の他端部とが、２つの連結部を有する連結部材によってそれぞれ連結されている
ことを特徴とする請求項１記載の開閉装置構造。
【発明の詳細な説明】
【０００１】
【発明の属する技術分野】
本発明は、開閉装置を適切に後付けできる開閉装置構造に関する。
【０００２】
【従来の技術】
従来、例えば窓シャッタ等の開閉装置の取付方法として、予め四方枠状に枠組みされたシャッタ取付枠体を壁面仕上げ前のシャッタ取付壁面に先付けし、次いで、壁面仕上げ後にシャッタ取付枠体に縦ガイドレール枠およびシャッタボックス等を装着する方法が知られている（例えば、特許文献１参照。）。
【０００３】
そして、この取付方法によれば、壁面仕上げ作業の際に作業者がシャッタボックス上に乗るようなことがなく、壁面仕上げ作業に起因したシャッタボックスの傾きや損傷等の不具合の発生を防止できる。
【０００４】
【特許文献１】
特開平７−１１９３７０号公報（第２頁、図１）
【０００５】
【発明が解決しようとする課題】
ところが、近年、既設の構築構造物である例えば建物に窓シャッタ等の開閉装置を後付けする場合が多く、この場合には、例えば入隅部或いはバルコニーの下方位置等では、開閉装置を適切に後付けすることが困難な場合がある。
【０００６】
本発明は、このような点に鑑みなされたもので、開閉装置を適切に後付けできる開閉装置構造を提供することを目的とする。
【０００７】
【課題を解決するための手段】
請求項１記載の開閉装置構造は、構築構造物の入隅部に開閉装置を後付けした開閉装置構造であって、前記構築構造物の入隅用柱部および柱部を利用して前記構築構造物に固定された取付下地枠体と、この取付下地枠体によって支持された前記開閉装置とを備え、前記取付下地枠体は、細長筒状の縦枠と、この縦枠と離間対向して位置する入隅側縦枠とを有し、この入隅側縦枠は、断面矩形の筒部と、この筒部から突出した固定板部とにて構成され、前記入隅側縦枠の固定板部が前記入隅用柱部に外壁部を介して固定され、前記縦枠が前記柱部に前記固定板部が当接した外壁部に対して直交状に位置する外壁部を介して固定され、前記入隅側縦枠の筒部には前記開閉装置の一方の縦ガイドレール枠が固定され、前記縦枠には前記開閉装置の他方の縦ガイドレール枠が固定されているものである。
【０００８】
請求項２記載の開閉装置構造は、請求項１記載の開閉装置構造において、取付下地枠体は、細長筒状の上横枠と、細長筒状の下横枠とを有し、入隅側縦枠の上端部および前記上横枠の一端部と、前記入隅側縦枠の下端部および前記下横枠の一端部と、縦枠の上端部および前記上横枠の他端部と、前記縦枠の下端部および前記下横枠の他端部とが、２つの連結部を有する連結部材によってそれぞれ連結されているものである。
【０００９】
【発明の実施の形態】
まず、本発明の開閉装置構造の第１の関連技術について説明する。
【００１０】
図１および図２において、１は既設の構築構造物である建物（例えば木造住宅等）で、この既設の建物１は入隅部２を有している。そして、この建物１の入隅部２には、開閉装置である窓シャッタ３が四方枠状の取付下地枠体４を介して後付けされている。
【００１１】
ここで、取付下地枠体４は、例えば建物１の入隅部２にこの建物１の少なくとも入隅用柱部６および通常の柱部７を利用してねじ等の固定具８により固定されたものである。すなわち、取付下地枠体４は、外壁部９を介して入隅用柱部６、柱部７、間柱部および梁部等に固定されている。
【００１２】
そして、この取付下地枠体４は、図３にも示すように、細長筒状の縦枠11と、この縦枠11とそれぞれ離間対向して位置する細長筒状の入隅側上縦枠12および断面略Ｌ字状の入隅側下縦枠13とを有している。また、この取付下地枠体４は、上から順に、細長筒状の上横枠14と、細長筒状の中横枠15と、細長筒状の下横枠16とを有している。
【００１３】
なお、これらの各枠11〜16には、複数のねじ用孔等の固定用孔18が形成されている。また、断面形状が同じ縦枠11、入隅側上縦枠12、上横枠14、中横枠15および下横枠16には、長手方向に沿った段部19が形成されている（図１および図２参照）。
【００１４】
そして、入隅側上縦枠12の上端部および上横枠14の一端部と、入隅側下縦枠13の下端部および下横枠16の一端部と、縦枠11の上端部および上横枠14の他端部と、縦枠11の下端部および下横枠16の他端部とが、２つの連結部21を有する連結部材22によってそれぞれ連結されている。また、入隅側上縦枠12の下端部、入隅側下縦枠13の上端部および中横枠15の一端部が、３つの連結部23を有する中間連結部材24によって連結されている。
【００１５】
また一方、取付下地枠体４には、図２および図４に示されるように、この取付下地枠体４を補強する下地枠補強体26が上横枠14および中横枠15間に嵌入された状態でねじ等の固定具27により固定されている。この下地枠補強体26は、例えば略矩形板状の補強板部28を有し、この補強板部28の３辺の縁部からは固定板部29が突出し、この固定板部29が対向する上横枠14、中横枠15および入隅側上縦枠12に固定されている。
【００１６】
なお、図１に示されるように、取付下地枠体４の入隅側下縦枠13が入隅用柱部６に外壁部９を介して固定され、取付下地枠体４の縦枠11が柱部７に入隅側下縦枠13が当接した外壁部９に対して直交状に位置する外壁部９を介して固定されている。
【００１７】
また、建物１には、四方枠状のサッシ枠31とこのサッシ枠31に左右方向に移動可能に嵌着されサッシ開口32を開閉するサッシ障子33とにて構成されたサッシ装置34が取り付けられている（図５参照）。取付下地枠体４の入隅側下縦枠13は、サッシ装置34のサッシ枠31と干渉しないような形状に形成されている。また、サッシ枠31の側方位置に入隅用柱部６が配置されている。
【００１８】
一方、窓シャッタ３は、下地枠補強体26にて補強された取付下地枠体４によって略全重量が支えられて支持されたものである。
【００１９】
そして、この窓シャッタ３は、図１および図２に示すように、巻取りおよび巻戻しにより昇降してシャッタ開口36を開閉する開閉体であるシャッタカーテン37がシャッタボックス38に組み込まれた本体である窓用シャッタ本体40と、シャッタカーテン37をガイドするガイド溝41が縦方向に沿って形成されかつ取付片42が上端側に切起しにより形成された左右一対の縦ガイドレール枠43とを有している。
【００２０】
これら左右対称の縦ガイドレール枠43のうちの一方の縦ガイドレール枠43が取付下地枠体４の入隅側上縦枠12および入隅側下縦枠13にその縦方向に沿ってねじ等の固定具44により固定され、他方の縦ガイドレール枠43が取付下地枠体４の縦枠11にその縦方向に沿ってねじ等の固定具44により固定されている。そして、これら固定された両縦ガイドレール枠43の取付片42に窓用シャッタ本体40が引掛けにより取り付けられている。
【００２１】
次いで、このような開閉装置構造であるシャッタ構造の施工方法つまり窓シャッタ３の取付方法について説明する。
【００２２】
図５に示す既設の建物１の入隅部２に窓シャッタ３を後付けする場合は、まず、図６に示すように、建物１の入隅部２に少なくとも入隅用柱部６および柱部７を利用して四方枠状の取付下地枠体４を固定する。
【００２３】
このとき、予め枠組みして四方枠状にしてから取付下地枠体４を建物１に対して固定してもよく、取付下地枠体４を形成する各枠部材11〜16を適宜順々に建物１に対して固定してもよい。
【００２４】
また、取付下地枠体４の各枠部材11〜16の固定用孔18は、工場で予め形成しておいてもよく、施工現場で建物１に応じて形成してもよい。ここで、施工現場で固定用孔18を形成する場合、上横枠14、中横枠15および下横枠16については図８に示すけがき治具46を使用する。このけがき治具46は、板部材を略Ｌ字状に折り曲げたもので、段部19に係合する係合縁部47が形成されているとともに、上横枠14および中横枠15用のけがき孔部48および下横枠16用のけがき孔部49が形成されている。
【００２５】
なお、各枠部材11〜16の外壁部９と接触する外壁接触面にはゴム板等の弾性板を貼着することが好ましく、また、縦枠11、入隅側上縦枠12および上横枠14にはバックアップ材およびシーリング材を設けることが好ましい。
【００２６】
続いて、図７に示すように、建物１に固定された四方枠状の取付下地枠体４の上横枠14および中横枠15間に下地枠補強体26を嵌入固定してこの取付下地枠体４を補強した後、この補強固定された取付下地枠体４に窓シャッタ３を支持させる。
【００２７】
すなわち例えば、入隅側上縦枠12および入隅側下縦枠13に一方の縦ガイドレール枠43を固定するとともに、縦枠11に他方の縦ガイドレール枠43を固定し、その後、これら固定された両縦ガイドレール枠43の取付片42に窓用シャッタ本体40を引掛けにより取り付ける。
【００２８】
このようにして、建物１の入隅部２に固定された取付下地枠体４に窓シャッタ３の枠体である左右の縦ガイドレール枠43を固定してから、この縦ガイドレール枠43の取付片42に窓用シャッタ本体40を取り付けることにより、この取付下地枠体４で窓シャッタ３をしっかりと支えることができるため、既設の建物１の入隅部２であっても、窓シャッタ３を適切に後付けすることができる。
【００２９】
次に、本発明の開閉装置構造の一実施の形態を図９および図１０を参照して説明する。
【００３０】
図９および図１０に示す開閉装置構造であるシャッタ構造は、前記第１の関連技術の取付下地枠体４とは異なる四方枠状の取付下地枠体4aを備えているが、その他の構成部材は前記第１の関連技術の構成部材と基本的に同一である。
【００３１】
この取付下地枠体4aは、細長筒状の入隅側上縦枠12、断面略Ｌ字状の入隅側下縦枠13および中間連結部材24の代わりに、縦枠11と同じ長さでこの縦枠11と離間対向して位置する細長筒状の入隅側縦枠51を有している。この入隅側縦枠51は、図９から明かなように例えば断面矩形の筒部52とこの筒部52から突出した固定板部53とにて構成され、サッシ装置34のサッシ枠31と干渉しないような形状となっている。
【００３２】
そして、前記第１の関連技術と同様、建物１の入隅部２に固定された取付下地枠体4aに窓シャッタ３の左右の縦ガイドレール枠43を固定してから、この縦ガイドレール枠43の取付片42に窓用シャッタ本体40を取り付けることにより、この取付下地枠体4aで窓シャッタ３をしっかりと支えることができるため、既設の建物１の入隅部２であっても、窓シャッタ３を適切に後付けすることができる。
【００３３】
また、取付下地枠体4aが取付下地枠体４より構成が簡単であるため、前記第１の関連技術に比べて窓シャッタ３を簡単に後付けできる。
【００３４】
次に、本発明の開閉装置構造の第２の関連技術を図１１ないし図１３を参照して説明する。
【００３５】
図１２および図１３に示す開閉装置構造であるシャッタ構造は、既設の建物１の外壁面つまり外壁部９の外面から突出した突出部61の下方位置にこの突出部61に近接させて開閉装置である窓シャッタ３を後付けしたものである。この突出部61は、例えば上の階のバルコニー或いは軒等である。また、この窓シャッタ３は、突出部61があるために取付スペースが少なく、窓用シャッタ本体40の一部がサッシ開口32に対向した状態となっている。
【００３６】
そして、このシャッタ取付構造は、前記第１の関連技術および一実施の形態の取付下地枠体４，4aとは異なる四方枠状の取付下地枠体4bを備えているが、その他の構成部材（例えば窓シャッタ３およびサッシ装置34等）は前記第１の関連技術および一実施の形態の構成部材と基本的に同一である。
【００３７】
この取付下地枠体4bは、互いに離間対向した左右一対の細長筒状の縦枠11と、上下一対の細長筒状の上横枠14および下横枠16とを有し、これらの各枠部材11，14，16には複数のねじ用孔等の固定用孔18が形成されかつ長手方向に沿った段部19が形成されている。
【００３８】
そして、各枠部材11，14，16の端部同士、すなわち、一方の縦枠11の上端部および上横枠14の一端部と、一方の縦枠11の下端部および下横枠16の一端部と、他方の縦枠11の上端部および上横枠14の他端部と、他方の縦枠11の下端部および下横枠16の他端部とが、２つの連結部21を有する連結部材22によってそれぞれ連結されている。なお、この取付下地枠体4bは下地枠補強体26で補強されていない。
【００３９】
なお、図１１に示されるように、取付下地枠体4bの両縦枠11が対応する両柱部７に外壁部９を介してねじ等の固定具８により固定され、この両縦枠11に窓シャッタ３の両縦ガイドレール枠43がねじ等の固定具44により固定されている。そして、これら固定された両縦ガイドレール枠43の取付片42に窓用シャッタ本体40が引掛けにより取り付けられている。
【００４０】
そして、このシャッタ構造の施工は、まず、窓シャッタ３を取り付けるに先立って、建物１に少なくとも両柱部７を利用して四方枠状の取付下地枠体4bを固定する。
【００４１】
続いて、この固定された四方枠状の取付下地枠体4bに窓シャッタ３を支持させ、この窓シャッタ３の窓用シャッタ本体40の一部をサッシ開口32に対向させる。すなわち例えば取付下地枠体4bの両縦枠11に窓シャッタ３の両縦ガイドレール枠43を固定し、その後、これら固定された両縦ガイドレール枠43の取付片42に窓用シャッタ本体40を引掛けにより取り付ける。
【００４２】
このようにして、突出部61の下方位置で既設の建物１に固定された取付下地枠体4bに窓シャッタ３の左右の縦ガイドレール枠43を固定してから、この縦ガイドレール枠43の取付片42に窓用シャッタ本体40を取り付けることにより、この取付下地枠体4bで窓シャッタ３をしっかりと支えることができるため、既設の建物１のバルコニー等の突出部61の下方位置であっても、窓シャッタ３を適切に後付けすることができる。
【００４３】
なお、取付下地枠体４，4aは中横枠15を有しないものでもよく、さらに、取付下地枠体４，4aに下地枠補強体26を必ずしも固定する必要はない。また、取付下地枠体４，4a，4bは、四方枠状のものには限定されず、上横枠14または下横枠16を有しない三方枠状のもの等でもよい。
【００４４】
さらに、開閉装置は、窓シャッタには限定されず、その他のシャッタや、ブラインド装置或いはスクリーン装置等にも適用することができる。
【００４５】
また、図示しないが構築構造物の内部に位置する壁等の入隅部や突出部の下方位置に近接した開口空間に開閉装置を後付けするような場合にも適用可能である。
【００４６】
なお、構築構造物は、木造住宅等の建物には限定されず、例えば船、地下街、トンネル等でもよい。
【００４７】
【発明の効果】
本発明によれば、構築構造物に固定された取付下地枠体に開閉装置を支持させることにより、既設の構築構造物の入隅部に開閉装置を適切に後付けできる。
【図面の簡単な説明】
【図１】  本発明の開閉装置構造の第１の関連技術の横断面図である。
【図２】  同上開閉装置構造の縦断面図である。
【図３】  同上開閉装置構造の取付下地枠体の正面図である。
【図４】  同上開閉装置構造の下地枠補強体の斜視図である。
【図５】  同上開閉装置の取付方法を説明するための図である。
【図６】  図５に続く説明図である。
【図７】  図６に続く説明図である。
【図８】  けがき治具を示す斜視図である。
【図９】  本発明の開閉装置構造の一実施の形態の横断面図である。
【図１０】  同上開閉装置構造の取付下地枠体の正面図である。
【図１１】  本発明の開閉装置構造の第２の関連技術の横断面図である。
【図１２】  同上開閉装置構造の縦断面図である。
【図１３】  同上開閉装置構造の取付下地枠体の正面図である。
【符号の説明】
１    構築構造物である建物
２    入隅部
３    開閉装置である窓シャッタ
４，4a，4b    取付下地枠体
６    入隅用柱部
７    柱部
９    外壁部
11    縦枠
14    上横枠
16    下横枠
43    縦ガイドレール枠
51    入隅側縦枠
52    筒部
53    固定板部
【図１】
0004040993.tif 000002
【図２】
0004040993.tif 000003
【図３】
0004040993.tif 000004
【図４】
0004040993.tif 000005
【図５】
0004040993.tif 000006
【図６】
0004040993.tif 000007
【図７】
0004040993.tif 000008
【図８】
0004040993.tif 000009
【図９】
0004040993.tif 000010
【図１０】
0004040993.tif 000011
【図１１】
0004040993.tif 000012
【図１２】
0004040993.tif 000013
【図１３】
0004040993.tif 000014